(57)【特許請求の範囲】
【請求項１】
少なくとも多数の小孔を有した内筒及び中筒と、その外側のガラス外筒及び該ガラス外筒を載置する外筒ベ−スとから成り、更にガラス外筒上端を中筒上端に連結された外筒押さえで支持したものに於いて、前記ガラス外筒と対向する中筒の中間部及び上部には、小孔を下部の小孔よりも開口面積を大きくした赤熱部を形成し、更にこの赤熱部の上部と対向するガラス外筒外方に筒体から成る遠赤外線放射手段を備えた事を特徴とする石油燃焼器具の燃焼筒。
【請求項２】
少なくとも多数の小孔を有した内筒及び中筒と、その外側のガラス外筒及び該ガラス外筒を載置する外筒ベ−スとから成り、更にガラス外筒上端を中筒上端に連結された外筒押さえで支持したものに於いて、前記ガラス外筒と対向する中筒の中間部及び上部には、小孔を下部の小孔よりも開口面積を大きくした赤熱部を形成し、更に内筒を中筒より低身とすると共に、内筒上端には蓋体から立設し中筒及びガラス外筒より上方で、内筒の直径より大きく外方へ広がった拡炎板を備え、内筒上方に中筒及び前記拡炎板で囲まれた大空間の二次燃焼室を形成し、更に赤熱部の上部及び二次燃焼室と対向するガラス外筒外方に筒体から成る遠赤外線放射手段を備えた事を特徴とする石油燃焼器具の燃焼筒。
【請求項３】
上記遠赤外線放射手段は、琺瑯処理した筒体で構成した事を特徴とする請求項１及び２記載の石油燃焼器具の燃焼筒。
【請求項４】
上記遠赤外線放射手段は、遠赤塗料を表面に塗布した筒体で構成した事を特徴とする請求項１及び２記載の石油燃焼器具の燃焼筒。
【発明の詳細な説明】
【０００１】
【発明の属する技術分野】
この発明は石油スト−ブ等の石油燃焼器に使用される複筒式の燃焼筒に関するものである。
【０００２】
【従来の技術】
従来よりこの種のものに於いては、例えば実公平２−３８１８３号公報に開示されている如く、ガラス外筒表面に水玉模様状に遠赤外線放射部を設けることで、近赤外線と遠赤外線の両方が得られると共に、遠赤外線も加熱温度の相違によって人体に吸収されやすいものと、そうでないものとが得られ、頭寒足熱の理想暖房を実現しようとするものであった。
【０００３】
【発明が解決しようとする課題】
ところでこの従来のものでは、遠赤外線放射部が水玉模様で細かく分散している為、多量の遠赤外線を集中して得ることが出来ず、又ガラス外筒の表面に遠赤外線の塗料を直接塗布すると、この塗布した部分の近赤外線が抜けずに内方に熱気が溜まって、異常燃焼の原因になったり、或いは塗布した部分と塗布していない部分とでは、熱膨張率が異なり割れる原因にもなると言う問題点を有するものであった。
【０００４】
この発明はこの点に着目し上記欠点を解決する為に、請求項１では、少なくとも多数の小孔を有した内筒及び中筒と、その外側のガラス外筒及び該ガラス外筒を載置する外筒ベ−スとから成り、更にガラス外筒上端を中筒上端に連結された外筒押さえで支持したものに於いて、前記ガラス外筒と対向する中筒の中間部及び上部には、小孔を下部の小孔よりも開口面積を大きくした赤熱部を形成し、更にこの赤熱部の上部と対向するガラス外筒外方に筒体から成る遠赤外線放射手段を備えたものである。
【０００５】
これにより、中筒上部の赤熱部からの強力な近赤外線で遠赤外線放射手段が加熱されて、その表面から遠赤外線を放射して人体の温点を刺激し暖房感の向上を図るものであり、又中筒の上部以外の赤熱部からは今まで通りの近赤外線の放射での暖房が行われ、多量の遠赤外線を確実に且つ集中して発生させることが出来、遠近赤外線が混在する良好な暖房が得られ極めて使用勝手が良いものである。
【０００６】
又請求項２によれば、少なくとも多数の小孔を有した内筒及び中筒と、その外側のガラス外筒及び該ガラス外筒を載置する外筒ベ−スとから成り、更にガラス外筒上端を中筒上端に連結された外筒押さえで支持したものに於いて、前記ガラス外筒と対向する中筒の中間部及び上部には、小孔を下部の小孔よりも開口面積を大きくした赤熱部を形成し、更に内筒を中筒より低身とすると共に、内筒上端には蓋体から立設し中筒及びガラス外筒より上方で、内筒の直径より大きく外方へ広がった拡炎板を備え、内筒上方に中筒及び前記拡炎板で囲まれた大空間の二次燃焼室を形成し、更に赤熱部の上部及び二次燃焼室と対向するガラス外筒外方に筒体から成る遠赤外線放射手段を備えたものである。
【０００７】
これにより、燃焼筒で最も高温となる二次燃焼室と対向する位置に備えられた遠赤外線放射手段が、二次燃焼室での二次燃焼の熱で加熱される赤熱部の上部からの強い近赤外線で加熱されて、その表面から遠赤外線を放射して人体の温点を刺激し暖房感の向上を図るものであり、又二次燃焼の完全燃焼で発生した燃焼熱は室内に放出されて今まで通りの室内暖房が行われ、多量の遠赤外線を確実に且つ集中して発生させることが出来、遠近赤外線が混在する良好な暖房が得られ極めて使用勝手が良いものである。
【０００８】
更に遠赤外線放射手段を琺瑯処理した筒体で構成すれば、見栄えも良く長期に渡って性能を低下させることなく使用出来る。
又遠赤外線放射手段を遠赤塗料を表面に塗布した筒体で構成すれば、極めて簡単で安価に提供出来るものである。
【０００９】
【発明の実施の形態】
次にこの発明に係る石油燃焼器具の燃焼筒を図面に示す一実施例で説明する。１は芯案内外筒２と燃油タンク（図示せず）の中央部から立設した芯案内内筒３とから構成された芯案内筒で、芯案内外筒２及び芯案内内筒３の上端にはそれぞれ段状の火皿部４・５を形成すると共に、芯案内内筒３上面には内方を上昇してくる空気を燃焼空気として放出する複数個の透孔６を有している。
【００１０】
７は芯案内筒１内で芯案内外筒２と芯案内内筒３との間に昇降自在に備えられた燃芯で、上昇時には先端を火皿部４・５上に露呈するものである。
８は芯案内外筒２の火皿部４外周に固着された支持筒で、上端には外方へ向かって屈曲したフランジ部９が形成されている。
【００１１】
１０は多数の小孔を穿ちた内筒１１及び、該内筒１１外方で多数の小孔を穿ちた中筒１２及び、該中筒１２外方の外筒ベ−ス１３等をクロスピン１４で一体に構成して成る複筒式の燃焼筒で、内筒１１下端を火皿部５上に又中筒１２の下端を火皿部４上にそれぞれ載置し、外筒ベ−ス１３と支持筒８のフランジ部９との間には空気流入用の間隔を有しており、更に内筒１１と中筒１２との間には燃芯７を位置させこの間を一次燃焼室１５として芯案内筒１上に備えられたものである。
【００１２】
前記燃焼筒１０の外筒ベ−ス１３は、外径１４０〜１８０ｍｍで高さ１６０〜２００ｍｍで耐熱性の熱透過物質から構成され中筒１２の上部と対向するガラス外筒１６を載置支持している。
【００１３】
更に中筒１２は直径１００〜１４０ｍｍで高さ２４０〜２８０ｍｍで０．２〜０．６ｍｍのステンレス鋼板を用い、下部のガラス外筒１６と対向しない少なくとも全長の１／３である下部には、直径１．２〜２．０ｍｍの多数の小孔１７を穿ち、又上部のガラス外筒１６と対向する多くとも全長の１／２である上方には、１．５〜３．０ｍｍ×１０〜１５ｍｍの横長状の多数の小孔１８を互いに上下に一部重合させながら千鳥足のブリック状に配設し、全体的には４０〜６０％の開口率とし赤熱して近赤外線を放射する赤熱部１９を形成している。
【００１４】
２０は中筒１２とガラス外筒１６間の上方を閉塞した外筒押さえで、一端を中筒１２上端に固着すると共に、他端をガラス外筒１６上端まで延設して該ガラス外筒１６上端を支持するものである。
【００１５】
又内筒１１は直径７０〜１１０ｍｍで高さ２１０〜２５０ｍｍで０．３〜０．８ｍｍのステンレス鋼板を用い、全周に直径１．２〜２．０ｍｍの多数の小孔２１を穿ち、更に中筒１２よりは低身として該中筒１２内方上部に大空間の二次燃焼室２２を形成している。
【００１６】
この二次燃焼室２２には、内筒１１上端に備えられた蓋体２３から立設し外方へ突出した支持筒２４と、該支持筒２４に支持され二次燃焼室２２上方を覆うように内筒１１の直径より大きく中筒１２より小径で外方へ広がった拡炎板２５とが備えられており、更に蓋体２３には内筒１１内方から二次空気室２１へ二次燃焼の空気を供給する複数の小孔２６を形成すると共に、蓋体２３中央の開口２７と連通した支持筒２４上部の複数の二次空気孔２８からも多量の二次空気が供給されるものである。
【００１７】
２９は中筒１２の赤熱部１９上部及び二次燃焼室２２と対向してガラス外筒１６外方に備えられた琺瑯処理した筒体から成る遠赤外線放射手段で、内方にド−ナツ状の固定金具３０を備え、該固定金具３０は外周の抑制部３１での複数箇所のスポット溶接で遠赤外線放射手段２９と連結され、外筒押さえ２０に固定されて位置するものであり、スポット溶接部分以外の抑制部３１と遠赤外線放射手段２９との間には、空気を流通させる流通路３２を形成し、抑制部３１で一旦空気の上昇を抑制した後、流通路３２を流通させるものである。
【００１８】
又この遠赤外線放射手段２９は、固定金具３０と連結された状態で、琺瑯処理され加熱されることで遠赤外線を発生するものであり、遠赤外線放射手段２９は赤熱部１９及び二次燃焼室２２と対向しているので、ガラス外筒１６を介して４００度まで加熱されて多量の遠赤外線を放射するものであり、更に固定金具３０とは複数箇所での連結であり、加熱によるピチピチ音を極力抑えることが出来るものである。
【００１９】
３３は外筒押さえ２０外方で拡炎板２５を覆って備えられた筒状の燃焼リングで、切り起こされた３個の取り付け片３４で固定金具３０と共に外筒押さえ２０上面に形成された係止部３５に係止して取り付けられ、固定金具３０との間には３〜６ｍｍの適宜な隙間３６が形成されており、ガラス外筒１６外周を上昇し遠赤外線放射手段２９内方を流通して来た空気を隙間３６を通して二次燃焼室２２へ二次空気として供給して燃焼を促進させるものである。
【００２０】
３７は拡炎板２５の先端部で燃芯７と対向する位置の全周に設けられた複数の通気孔で、燃芯７の真上が拡炎板２５で閉塞されることで、消火時に燃芯７から発生する未燃ガスの上方への抜けが悪くなるので、これを防止する為に通気孔３７を設けて消火時の未燃ガスをここから抜けさせることで、消火時間の短縮を図るものである。
又支持筒２４の二次空気孔２８も芯案内内筒３と連通していて、消火時には芯案内内筒３内の空気の流れを速くすることで、消火時間を短縮する効果も有するものである。
【００２１】
３８は内筒１１内方下部に備えられた案内板で、下方から流入する燃焼空気を燃芯７上端の一次燃焼室１５に集中供給すると共に、中央の開口３９で上方へ燃焼空気を供給するものである。
４０は内筒１１内方上部に備えられた整流板で、各種の穴部４１で整流して上方へ燃焼空気を供給すると共に、中央の内筒１１と中筒１２間の一次燃焼室１５に燃焼空気を供給するようにしたものである。
【００２２】
次にこの一実施例の作動について説明する。
今周知の点火手段（図示せず）で燃芯７に点火すれば、燃焼筒１０内の一次燃焼室１５で燃焼が開始され、この燃焼が内・中筒１１・１２間で該内筒１１上端まで行われることで、中筒１２の下部から中間までのブリック状の赤熱部１９が良好に赤熱し、この赤熱状態をガラス外筒１６を介して直接或いは反射板（図示せず）の反射で、近赤外線の輻射暖房が行われるものである。
【００２３】
又中筒１２を赤熱させながら一次燃焼室１５を上昇した燃焼ガスは、内筒１１上方の二次燃焼室２２に流入し、ここで大空間であると共に拡炎板２５で上昇を抑制されて、急速にその流速が遅くなり、そして中筒１２とガラス外筒１６間が外筒押さえ２０で閉塞されているので、この間を上昇して来た空気が二次空気として中筒１２上部の小孔１８から供給される。
【００２４】
更に蓋体２３の小孔２６からも内筒１１内方を上昇して来た空気が、二次空気として二次燃焼室２２下方から供給され、又内筒１１内の空気は開口２７を介して支持筒２４上部の二次空気孔２８から拡炎板２５に案内されて、二次燃焼室２２の上方からの二次空気が供給され、しかも燃焼リング３２の隙間３４を介して抑制部３１で一旦上昇を抑制された後、流通路３２を通った燃焼筒１０外方の空気もスム−ズに二次空気として二次燃焼室２２の上方へ供給されるものである。
【００２５】
そして二次燃焼室２２では、該二次燃焼室２２を取り囲むようにして全周から二次空気が供給されるので、燃焼ガスとの混合がスム−ズに行われて、常に良好な燃焼で完全燃焼が達成されて未燃ガスを室内に放出することがないものであり、しかもこの完全燃焼で中筒１２の特に対向している赤熱部１９の上部が強力に加熱され、多量の近赤外線を発生するものである。
【００２６】
一方、遠赤外線放射手段２９では、上記の二次燃焼室２２での二次燃焼によって加熱される赤熱部１９の上部から、ガラス外筒１６を介して放射される強力な近赤外線を受けて加熱され、最高４００度までの加熱を受けて多量の遠赤外線を直接又は反射板を介して放射し、人体の温点を直接刺激して暖房感を向上させるものであり、又遠赤外線放射手段２９と対向しない他方の赤熱部１９からの上記した近赤外線の放射及び完全燃焼の燃焼熱と相俟って良好な暖房が行えるものである。
【００２７】
尚、遠赤外線の放射量は、従来同等品の燃焼筒では９７．７６Ｗに対し、この発明の燃焼筒１０では１２５．０６Ｗで、従来品の２８％アップの放射量を得ることが出来たものであり、より直接的な暖房感を得られる遠赤外線増やして、長期に渡って良好な暖房が行えるものである。
【００２８】
又二次燃焼室２２を形成したことで、別部品を燃焼筒１０上方に連結する等の複雑な構成とすることなく、極めて簡単な構成でありながら、一つの燃焼筒１０内で一次燃焼と二次燃焼とが行われて常に完全燃焼が達成され、未燃ガスの室内への放出を防止して常に安心して使用出来るものであり、更に燃焼筒１０を長くすることなく、器具全体もコンパクトで済み、使用勝手も良いものである。
【００２９】
この一実施例では、遠赤外線放射手段２９を赤熱部１９の上部と共に二次燃焼室２２と対向させたものについて説明したが、これに限らず赤熱部１９の上部のみに対向するようにしたものでも、加熱量は低下するが同様の効果を得ることが出来るものである。
【００３０】
又一実施例では、遠赤外線放射手段２９は琺瑯処理したものについて説明したが、これに限らず遠赤塗料を筒体の表面に塗布とたものでも良く、ただ琺瑯処理したものは、見栄えが良く長期の使用に耐えられるものであり、遠赤塗料を塗布したものは、製造が容易で安価に提供ると言う、それぞれの利点を有するものである。
【００３１】
【発明の効果】
以上のようにこの発明によれば、請求項１では、中筒上部の赤熱部からの強力な近赤外線で遠赤外線放射手段が加熱されて、その表面から遠赤外線を放射して人体の温点を刺激し暖房感の向上を図るものであり、又中筒の上部以外の赤熱部からは今まで通りの近赤外線の放射での暖房が行われ、多量の遠赤外線を確実に且つ集中して発生させることが出来、遠近赤外線が混在する良好な暖房が得られ極めて使用勝手が良いものである。
【００３２】
請求項２では、燃焼筒で最も高温となる二次燃焼室と対向する位置に備えられた遠赤外線放射手段が、二次燃焼室での二次燃焼の熱で加熱される赤熱部の上部からの強い近赤外線で加熱されて、その表面から遠赤外線を放射して人体の温点を刺激し暖房感の向上を図るものであり、又二次燃焼の完全燃焼で発生した燃焼熱は室内に放出されて今まで通りの室内暖房が行われ、多量の遠赤外線を確実に且つ集中して発生させることが出来、遠近赤外線が混在する良好な暖房が得られ極めて使用勝手が良いものである。
【００３３】
更に遠赤外線放射手段を琺瑯処理した筒体で構成すれば、見栄えも良く長期に渡って性能を低下させることなく使用出来る。
又遠赤外線放射手段を遠赤塗料を表面に塗布した筒体で構成すれば、極めて簡単で安価に提供出来るものである。
【図面の簡単な説明】
【図１】この発明一実施例を付した燃焼筒の断面図。
【符号の説明】
１０  燃焼筒
１１  内筒
１２  中筒
１３  外筒ベ−ス
１６  ガラス外筒
１７、１８  小孔
１９  赤熱部
２０  外筒押さえ
２１  小孔
２２  二次燃焼室
２３  蓋体
２４  支持筒
２５  拡炎板
２９  遠赤外線放射手段
【図１】
0003715256.tif 000002